(57)【要約】【課題】  通信ネットワーク内のトラフィックを増大させることなく、また移動端末操作員による情報取得のための操作を必要とすることなく、配信サーバから複数の移動端末に対してその位置に連携した情報を配信する情報配信システムを得る。【解決手段】  配信サーバ３が移動端末２の滞在するエリアを継続的に判定する際に、移動端末２は、配信サーバ３に自己位置情報を通報して滞在するエリアの境界情報の通知を受け、以降は、移動端末２側でこの通知された境界情報と自身で取得した自己位置情報とに基づき、自身が引き続きそのエリア内に留まっているか否かを判定し、エリア外に移動したときにのみ配信サーバ３にその旨を自動通報する。また、配信サーバ３が移動端末２に対して情報配信する際は、各エリアに対応した情報配信グループを構成し、それらの情報配信グループに対して、マルチキャストで自動送信する。【選択図】  図１
2007323202.tif 000002
【特許請求の範囲】
【請求項１】
あらかじめ設定された各エリア毎の範囲を示す境界情報を含むエリアリストを有し、これらエリアのそれぞれに滞在する移動端末に対して、滞在するエリアに連携した情報を配信サーバからネットワーク経由で配信する情報配信システムであって、
前記移動端末は、自己位置情報を取得し、この自己位置情報及び前記配信サーバから通知される自身の滞在する前記エリアの境界情報に基づき前記エリアの範囲外への自身の移動を判定するとともに、前記取得した自己位置情報及び前記判定の結果を前記ネットワーク経由で前記配信サーバに自動通知し、
前記配信サーバは、前記エリアリスト及び前記移動端末からの通知に基づきそれぞれのエリア内に滞在する前記移動端末をメンバーとする情報配信グループを構成し、前記それぞれのエリアに連携した情報を配信する際は、配信対象の前記情報配信グループ内の移動端末に対してマルチキャストで自動送信することを特徴とする情報配信システム。
【請求項２】
前記移動端末による前記エリア範囲外への自身の移動の判定の結果は、前記エリアの範囲外へ移動したと判定した場合にのみ、前記配信サーバに自動通知することを特徴とする請求項１に記載の情報配信システム。
【請求項３】
あらかじめ設定された各エリア毎の範囲を示す境界情報を含むエリアリストを有し、これらエリアのそれぞれに滞在する移動端末に対して、滞在するエリアに連携した情報を配信サーバからネットワーク経由で配信する情報配信システムに用いられる移動端末であって、
自己位置情報を取得する自己位置情報取得部と、
前記サーバから自身の滞在する前記エリアの境界情報及びエリアに連携した情報を受信する受信部と、
前記自己位置情報及び前記自身の滞在するエリアの境界情報に基づき前記エリアの範囲外への自身の移動を判定する移動判定部と、
前記取得した自己位置情報及び前記移動判定部での判定結果を前記配信サーバに自動送信する送信部と、
前記受信したエリアに連携した情報を表示する表示部と
を有することを特徴とする移動端末。
【請求項４】
前記移動判定部での判定結果は、前記エリアの範囲外へ移動したと判定した場合にのみ、前記送信部から前記配信サーバに自動送信することを特徴とする請求項３に記載の移動端末。
【請求項５】
あらかじめ設定された各エリア毎の範囲を示す境界情報を含むエリアリストを有し、これらエリアのそれぞれに滞在する移動端末に対して、滞在するエリアに連携した情報を配信サーバからネットワーク経由で配信する情報配信システムに用いられる配信サーバであって、
前記移動端末から通知される自己位置情報及び滞在するエリアの範囲外への自身の移動の判定結果を受信する受信部と、
これら移動端末からの通知及び前記エリアリストに基づき前記移動端末の滞在するエリアを判定するとともに、前記移動端末の滞在するエリアの境界情報を取得するエリア判定部と、
このエリア判定部の判定結果に基づきそれぞれのエリア内に滞在する前記移動端末をメンバーとする情報配信グループを構成する配信グループ構成部と、
前記それぞれのエリアに連携した情報を保持する情報保持部と、
前記エリア判定部で取得した前記境界情報を対象の移動端末あてに送信するとともに、前記エリアに連携した情報を配信する際に配信対象の前記情報配信グループ内の移動端末に対してマルチキャストで送信する送信部と
を有することを特徴とする配信サーバ。
【発明の詳細な説明】
【技術分野】
【０００１】
本発明は、情報配信システムに係り、特に移動する端末に対してその位置情報に連携させて情報を配信する情報配信システムに関する。
【背景技術】
【０００２】
従来より、移動する端末に対して、その位置情報に連携した情報をネットワーク等を介してサーバから配信するサービスが知られている（例えば、特許文献１、及び特許文献２参照。）。
【０００３】
例えば、特許文献１に開示された事例では、無線アクセスポイント管理装置が、無線アクセスポイントの位置情報及び場所の属性情報を管理しており、移動端末が無線アクセスポイントから通知された無線アクセスポイントの識別情報を情報提供装置に送信すると、情報提供装置は、その識別情報に基づき無線アクセスポイント管理装置から該当する無線アクセスポイントの位置情報及び場所の属性を取得するとともに、これらに関連したコンテンツを移動端末に提供している。
【０００４】
また、特許文献２に開示された事例では、移動端末側において自己位置を測位し、その結果を無線等の通信手段を利用し中央局等に通報することによって、中央局側は、これら移動端末の位置情報を利用して移動端末側の状況に応じた各種の情報サービスを様々な形態により提供している。
【０００５】
この種の情報配信システムにおいては、移動端末の有する通信手段として無線通信回線の利用を前提とすることが多く、安定した通信を確保できるように、通常は、例えば携帯電話網等に代表される既存の無線通信ネットワークインフラが利用される。一方、諸活動においてこれら情報配信システムを利用する場合、その活動地域や活動形態は多様である。特に、災害救援・救助活動や作戦行動等、厳しい環境における活動では、既存のインフラを必ずしも利用できるとは限らない。
【０００６】
このため、これらインフラを利用できない地域でも円滑な活動を遂行できるように、既存の無線通信ネットワークインフラの利用と併せ、例えば、活動現場の状況に適応させて独自の無線通信ネットワークを簡易に構築する。そして、移動端末の所有者に対して、地誌情報や気象情報等といったその移動位置に連携する情報を、配信サーバ側から常に配信可能とする環境を確保している。
【特許文献１】特開２００３−１３４５４６号公報（第９ページ、図１）
【特許文献２】特開２００４−４８４７３号公報（第８ページ、図１）
【発明の開示】
【発明が解決しようとする課題】
【０００７】
ところで、上述したように、特に独自に構築された無線通信ネットワークを利用する場合には、必ずしも移動端末数に対応した十分な通信容量が確保されるとは限らない。また、移動端末の所有者が移動することによって絶えず変化する電波環境の中でも、確実に情報配信を継続できることが求められる。
【０００８】
しかしながら、上記のような従来の情報配信システムにおいて、移動端末の所有者が自位置情報に連携した情報配信を受ける場合、所有者は移動端末を操作して、配信サーバとしての情報提供装置や中央局に対して自位置に関する情報を含んだ配信要求を送出し、配信サーバは、この配信要求に応答して移動端末に対し対象となる情報を配信する。そして、これら配信要求とその応答のための通信は、各移動端末毎に発生する。
【０００９】
このため、通信トラフィックが増え、無線通信ネットワークに対する通信負荷が増大していた。特に、ネットワーク内に低速な通信路を含む場合等では、例えば緊急通報等の配信遅延のおそれもあった。また、情報配信を受けるにあたって、移動端末の所有者は、移動端末を操作して配信要求を送出することが必要であり、特に厳しい環境での活動中には、所有者にとって必ずしも使い勝手のよいものではなかった。
【００１０】
本発明は、上述の事情を考慮してなされたものであり、通信ネットワーク内のトラフィックを増大させることなく、また移動端末操作員による情報取得のための操作を必要とすることなく、配信サーバから複数の移動端末に対してその位置に連携した情報を配信する情報配信システムを提供することを目的とする。
【課題を解決するための手段】
【００１１】
上記目的を達成するために、本発明の情報配信システムは、あらかじめ設定された各エリア毎の範囲を示す境界情報を含むエリアリストを有し、これらエリアのそれぞれに滞在する移動端末に対して、滞在するエリアに連携した情報を配信サーバからネットワーク経由で配信する情報配信システムであって、前記移動端末は、自己位置情報を取得し、この自己位置情報及び前記配信サーバから通知される自身の滞在する前記エリアの境界情報に基づき前記エリアの範囲外への自身の移動を判定するとともに、前記取得した自己位置情報及び前記判定の結果を前記ネットワーク経由で前記配信サーバに自動通知し、前記配信サーバは、前記エリアリスト及び前記移動端末からの通知に基づきそれぞれのエリア内に滞在する前記移動端末をメンバーとする情報配信グループを構成し、前記それぞれのエリアに連携した情報を配信する際は、配信対象の前記情報配信グループ内の移動端末に対してマルチキャストで自動送信することを特徴とする。
【００１２】
また、本発明の移動端末は、あらかじめ設定された各エリア毎の範囲を示す境界情報を含むエリアリストを有し、これらエリアのそれぞれに滞在する移動端末に対して、滞在するエリアに連携した情報を配信サーバからネットワーク経由で配信する情報配信システムに用いられる移動端末であって、自己位置情報を取得する自己位置情報取得部と、前記サーバから自身の滞在する前記エリアの境界情報及びエリアに連携した情報を受信する受信部と、前記自己位置情報及び前記自身の滞在するエリアの境界情報に基づき前記エリアの範囲外への自身の移動を判定する移動判定部と、前記取得した自己位置情報及び前記移動判定部での判定結果を前記配信サーバに自動送信する送信部と、前記受信したエリアに連携した情報を表示する表示部とを有することを特徴とする。
【００１３】
また、本発明の配信サーバは、あらかじめ設定された各エリア毎の範囲を示す境界情報を含むエリアリストを有し、これらエリアのそれぞれに滞在する移動端末に対して、滞在するエリアに連携した情報を配信サーバからネットワーク経由で配信する情報配信システムに用いられる配信サーバであって、前記移動端末から通知される自己位置情報及び滞在するエリアの範囲外への自身の移動の判定結果を受信する受信部と、これら移動端末からの通知及び前記エリアリストに基づき前記移動端末の滞在するエリアを判定するとともに、前記移動端末の滞在するエリアの境界情報を取得するエリア判定部と、このエリア判定部の判定結果に基づきそれぞれのエリア内に滞在する前記移動端末をメンバーとする情報配信グループを構成する配信グループ構成部と、前記それぞれのエリアに連携した情報を保持する情報保持部と、前記エリア判定部で取得した前記境界情報を対象の移動端末あてに送信するとともに、前記エリアに連携した情報を配信する際に配信対象の前記情報配信グループ内の移動端末に対してマルチキャストで送信する送信部とを有することを特徴とする。
【発明の効果】
【００１４】
本発明によれば、通信ネットワーク内のトラフィックを増大させることなく、また移動端末の操作員による情報取得のための操作を必要とすることなく、配信サーバから複数の移動端末に対してその位置に連携した情報を配信することのできる情報配信システムを得ることができる。
【発明を実施するための最良の形態】
【００１５】
以下に、本発明に係る情報配信システムならびにこれに用いる移動端末及び配信サーバを実施するための最良の形態について、図１乃至図５を参照して説明する。
【実施例１】
【００１６】
図１は、本発明に係る情報配信システムの一実施例を示す概念図である。図１に例示したように、この情報配信システムは、エリアリスト１、複数の移動端末２（２ａ〜２ｄ）、配信サーバ３、及び通信ネットワーク４から構成されている。それぞれの構成については後述する。
【００１７】
この図１では、次のような場面を例示している。すなわち、あらかじめ設定されたエリアとして、互いに隣接した方形の区画（図１中のエリアＡ、Ｂ、及びＣ）が設けられ、これら区画の境界情報はエリアリスト１に登録されており、各移動端末は、これらエリア内に滞在している。この事例では、エリアＡには移動端末２ａ、エリアＢには移動端末２ｂ及び２ｄ、エリアCには移動端末２ｃがそれぞれ滞在している場合を示している。そして、それぞれの移動端末２ａ〜２ｄに対しては、その移動端末の滞在するエリアに連携した情報が、配信サーバ３からネットワーク４を経由して配信される。
【００１８】
ここで、それぞれの移動端末２ａ〜２ｄは、自身で取得した自己位置情報を配信サーバ３に通知し、配信サーバ３は、これらの通知に基づき、それぞれのエリア内に滞在する移動端末をメンバーとする情報配信グループを自装置内に構成する。そして、情報配信の際には、この情報配信グループ内の移動端末に対してマルチキャスト送信する。
【００１９】
また、それぞれの移動端末２ａ〜２ｄに対しては、エリアリスト１に登録されている滞在エリアの境界情報が配信サーバ３から通知されており、各移動端末は、この境界情報と自己位置情報とに基づき滞在するエリア外への移動を判定して配信サーバ３に通知する。配信サーバ３は、この通知に基づき情報配信グループを再構成する。
【００２０】
次に、図１の各構成について説明する。エリアリスト１は、あらかじめ設定された各エリア毎の範囲を示す境界情報を含むリストである。本実施例におけるエリアリスト１の一例を図２に示す。この図２に示した事例では、各エリアの識別名とその境界情報から構成されており、その境界情報としては、例えばその形状が図１に例示したような方形の区画では、区画の四隅、すなわち、北東、北西、南西、及び南東の緯度／経度情報としている。
【００２１】
移動端末２は、自己位置情報を取得し、配信サーバ３に自動通知するとともに、この自己位置情報及び前記配信サーバ３から通知される自身の滞在する前記エリアの境界情報に基づき、滞在エリアの範囲外への移動を判定し、その結果を配信サーバに自動通知する。また、配信サーバ３から、自身の滞在するエリアに連携した情報を受信する。これら配信サーバ３との間の送受信は、通信ネットワーク４を経由して行なわれる。
【００２２】
移動端末２ａ〜２ｄは、いずれも同一に構成されており、その構成の一例を図３に示す。図３は、移動端末２の構成の一例を示すブロック図である。この移動端末２は、自己位置情報取得部２１、移動判定部２２、表示部２３、及び送受信部２４から構成されている。
【００２３】
自己位置情報取得部２１は、移動端末２の自己位置情報を継続的に取得し、移動判定部２２及び送受信部２４に送出する。本実施例では、取得する自己位置情報は、緯度／経度情報としている。移動判定部２２は、自己位置情報取得部２１からの自己位置情報と配信サーバ３から通知される自身の滞在するエリアの境界情報に基づきエリアの範囲外へ移動したか否かを判定し、配信サーバ３に通知する。本実施例においては、範囲外へ移動した場合にのみ、その旨を自己位置情報とともに配信サーバ３に通知するものとしている。
【００２４】
表示部２３は、配信サーバ３から配信されるエリアに連携した情報を表示する。送受信部２４は、自己位置情報取得部２１で取得した自己位置情報、及び移動判定部２２での判定結果を所定のタイミングで配信サーバ３に送信する。また、配信サーバ３から送られてくるエリアの境界情報を移動判定部２２に送出するとともに、同じく配信サーバ３から自端末あてを含めてマルチキャスト送信される滞在エリアに連携した情報を受信して、表示部２３に送出する。
【００２５】
配信サーバ３は、エリアリスト１及び移動端末２から自己位置情報及び移動判定結果の通知を受信し、これらに基づきそれぞれのエリア内に滞在する移動端末をメンバーとする情報配信グループを構成するとともに、それぞれのエリアに連携した情報を配信する際は、配信対象の情報配信グループ内の移動端末に対してマルチキャストで自動送信する。移動端末２との間の送受信は、通信ネットワーク４を経由して行なわれる。
【００２６】
配信サーバ３の構成の一例を図４に示す。図４は、配信サーバ３の構成の一例を示すブロック図である。この配信サーバ３は、エリア判定部３１、配信グループ構成部３２、エリア連携情報保持部３３、及び送受信部３４から構成されている。
【００２７】
エリア判定部３１は、各移動端末２（２ａ〜２ｄ）からの自己位置情報及び滞在するエリアの範囲外への移動の判定結果を受けとり、エリアリスト１に基づいてそれぞれの移動端末２（２ａ〜２ｄ）の滞在するエリアを判定し、その結果を配信グループ構成部３２に通知する。通知の内容は、本実施例においては、例えば、各移動端末名とエリアリスト１に登録されたエリア識別名とを含むデータで構成されるものとしている。また、移動端末２の自己位置情報に基づき、その移動端末の滞在するエリアの境界情報をエリアリスト１から取得して送受信部３４に送出する。
【００２８】
配信グループ構成部３２は、エリア判定部３１からの通知に基づき、エリアリスト１に登録されたそれぞれのエリア毎に、そのエリア内に滞在する移動端末をメンバーとして情報配信する際の情報配信グループを構成する。また、端末の移動に伴う情報配信グループ内のメンバー（移動端末）の更新も行ない、情報配信グループを管理する。本実施例では、上記したエリア判定部３１から通知される各移動端末毎のエリア識別名をキーに用いて各移動端末をエリア毎にグルーピングする。そして、この情報配信グループを、エリアに連携した情報を移動端末に配信する際のマルチキャストグループとして送受信部３４に通知する。
【００２９】
エリア連携情報保持部３３は、エリアリスト１に設定された各エリアに連携した情報を保持する。本実施例では、各エリアに連携した情報としては、例えば、地誌情報、気象情報、周辺状況、緊急指示・指令、及び適宜発生するこれらに対する更新情報等である。
【００３０】
送受信部３４は、移動端末２から送られてくる自己位置情報及び滞在するエリアの範囲外への移動の判定結果を受信し、エリア判定部３１に送出する。また、配信グループ構成部３２から通知された情報配信グループ内の移動端末をマルチキャストグループとして、この情報配信グループのエリアに連携した情報をエリア連携情報保持部３３から取得しマルチキャストで送信する。加えて、エリア判定部３１で取得したエリアの境界情報を該当する移動端末あてに送信する。
【００３１】
通信ネットワーク４は、移動端末２と配信サーバ３との間を接続する通信路であり、例えば、公衆回線や有線・無線ＬＡＮ等を含む各種通信インフラである。
【００３２】
次に、上述のように構成された本発明に係る情報配信システムの動作を、前述の図１乃至図４及び図５のシーケンス図を参照して説明する。
【００３３】
図５は、本発明に係る情報配信システムの動作の一例を説明するためのシーケンス図である。この図５においては、情報配信システムの動作中に、１台の移動端末（例えば、図１中の２ｄ）があるエリア内で新たに動作を開始し、そのエリアに連携した情報の配信を受けながらエリアをまたがって移動し、引き続き移動先のエリアに連携した情報の配信を受ける場合をモデル化している。
【００３４】
まず、各エリアの範囲を示す境界情報を含む、図２に例示したようなエリアリスト１があらかじめ設定された上で（Ｓ５０１）、図１に示す情報配信システム中の移動端末２ｄが、エリアＢ内で新たに動作を開始する（Ｓ５０２）。移動端末２ｄは、まず、自己位置情報取得部２１で自己位置情報を取得し、これを配信サーバ３に自動通知する（Ｓ５０３、及びＤ５１）。
【００３５】
配信サーバ３は、エリア判定部３１にて、この自己位置情報（Ｄ５１）及びエリアリスト１の内容（Ｄ５２）に基づいて、移動端末２ｄの滞在するエリアを判定し、その結果としてエリア識別名を配信グループ構成部３２に通知する。図１の事例では、移動端末２ｄの滞在するエリア識別名はエリアＢと判定される（Ｓ５０４）。
【００３６】
配信グループ構成部３２は、このエリア識別名をキーとして移動端末２ｄを該当する情報配信グループにメンバーとしてグルーピングする。図１の事例では、エリアＢには、移動端末２ｂがすでに滞在しており、移動端末２ｂ、及び２ｄが同一の情報配信グループとして構成される（Ｓ５０５）。
【００３７】
また、エリア判定部３１は、エリアリスト１から移動端末２ｄの滞在するエリアＢの境界情報（Ｄ５３）を取得し、これを移動端末２ｄに通知する。これとあわせて、配信サーバ３からのマルチキャスト送信に備え、Ｓ５０５によりこの移動端末２ｄがグルーピングされた情報配信グループのマルチキャストアドレスも通知する（Ｓ５０６、及びＤ５４）。
【００３８】
移動端末２ｄは、通知されたマルチキャストアドレスに基づいて、配信サーバ３からマルチキャスト送信される、エリアに連携した情報の受信に備える。また、この境界情報を受けとって、移動判定部２２において自己位置情報取得部２１から継続的に取得される自己位置情報と比較し、自身が通知されたエリア内（ここではエリアＢ）に留まっているか否かを継続して判定する。本実施例では、エリア内に留まっている場合には、その判定結果を配信サーバ３に通知しない（Ｓ５０７）。
【００３９】
一方、配信サーバ３側に、エリアＢに連携した情報が発生すると、これら情報はエリア連携情報保持部３３に保持される。そして、送受信部３４は、これら保持されている配信すべき情報を引き出し、配信グループ構成部３２においてグルーピングされたエリアＢの情報配信グループに対してマルチキャストで自動送信し（Ｓ５０８、及びＤ５５）、移動端末２ｂ、及び２ｄは、通知されているマルチキャストアドレスに基づき配信された情報を受信し、これを表示する（Ｄ５５、及びＳ５０９）。
【００４０】
この後、移動端末２ｄは、上記したＳ５０７のステップの判定を行ないながら移動を継続し、例えば図１に示すように、エリアＢの境界を越えて隣接するエリアであるエリアＣに移動した場合（Ｓ５１０）、移動端末２ｄは、エリアの範囲外に移動した旨の判定結果、及びそのときの自己位置情報を配信サーバ３に自動通知する（Ｓ５１１、及びＤ５６）。
【００４１】
配信サーバ３は、これら移動端末２ｄからの通知（Ｄ５６）に基づいて、移動端末２ｄの滞在するエリアを再び判定するとともに（Ｓ５１２）、グルーピングを更新し、情報配信グループを再構成する。図１の事例のように、移動端末２ｄがエリアＢからエリアＣに移動した場合には、グルーピングの更新により、移動端末２ｄは、従来のエリアＢに対応した情報配信グループのメンバから抜けて、新たにエリアＣに対応した情報配信グループに加わる。その結果、エリアＢに対応する情報配信グループには移動端末２ｂが、また、エリアＣに対応する情報配信グループには移動端末２ｃ、及び２ｄが、それぞれグルーピングされる（Ｓ５１３）。
【００４２】
さらに配信サーバ３は、エリアリスト１から移動後のエリアであるエリアＣの境界情報（Ｄ５７）を取得するとともに、この境界情報と新たな情報配信グループに対応したマルチキャストアドレスとを移動端末２ｄに通知する（Ｓ５１４、及びＤ５８）。そして、配信サーバ３側にエリアＣに連携した情報が発生すると、エリアＣの情報配信グループに対してこれら情報をマルチキャストで自動送信し（Ｓ５１５、及びＤ５９）、これを受けた移動端末２ｃ、及び２ｄは、これを表示する（Ｓ５１６）。
【００４３】
以上説明したように、本実施例においては、配信サーバ３が、移動端末２に対してその移動端末の滞在するエリアに連携した情報を配信するにあたって移動端末２の滞在するエリアを継続的に判定する際に、移動端末２は、配信サーバ３に自己位置情報を通報して滞在するエリアの境界情報の通知を受け、以降は、移動端末２側でこの通知された境界情報と自身で取得した自己位置情報とに基づき、自身が引き続きそのエリア内に留まっているか否かを判定している。そして、エリア外に移動したときにのみ配信サーバ３にその旨を自動通報し、それ以外は自己位置情報の通報を含めて配信サーバ３への通報は繰り返さない。これにより、通信ネットワーク４内のトラフィックを増大させることなく、また移動端末２に対する操作を必要とすることなく、配信サーバ３側において移動端末２の滞在エリアとしての位置情報を得ることができる。
【００４４】
また、配信サーバ３が移動端末２に対して情報配信する際は、各エリアに対応した情報配信グループを構成し、それらの情報配信グループに対して、該当エリアに連携した情報をマルチキャストで自動送信している。これにより、各移動端末からの配信要求により個々の移動端末毎に情報配信を行なう手法等に比較して、配信要求が不要であると共に、複数の移動端末に対して１回の送信動作で配信を行なうことができ、通信ネットワーク４内のトラフィックを増大させることなく、また移動端末２に対する操作を必要とすることなく、配信サーバ３から複数の移動端末２に対して、その位置に連携した情報を配信することができる。
【図面の簡単な説明】
【００４５】
【図１】本発明に係る情報配信システムの一実施例を示す概念図。
【図２】エリアリスト１の一例を示す図。
【図３】移動端末２の構成の一例を示すブロック図。
【図４】配信サーバ３の構成の一例を示すブロック図。
【図５】本発明に係る情報配信システムの動作の一例を説明するためのシーケンス図。
【符号の説明】
【００４６】
１  エリアリスト
２  移動端末
３  配信サーバ
４  通信ネットワーク
【図１】
2007323202.tif 000003
【図２】
2007323202.tif 000004
【図３】
2007323202.tif 000005
【図４】
2007323202.tif 000006
【図５】
2007323202.tif 000007